【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
入力画像の関心のある領域に含まれるプレゼンテーション情報に合致する内容を含む画像を第１の画像群が含んでいるか否かを判別するデータ処理システムであって：
プロセッサ；
前記プロセッサに接続されたメモリ；
より成り、前記メモリは前記プロセッサにより実行するための複数のコードモジュールを格納するよう構成され、前記複数のコードモジュールは：
前記入力画像及び前記第１の画像群中の画像が第１の特徴を有するか否かを判別するコードモジュール；
前記入力画像及び前記第１の画像群中の画像が第２の特徴を有するか否かを判別するコードモジュール；
前記入力画像及び前記第１の画像群中の画像が前記第１の特徴及び前記第２の特徴を有するか否かに基づいて、複数の比較法の中から第１群の比較法を識別するコードモジュール；
前記第１群の比較法内の１以上の比較法を用いて前記入力画像の内容及び前記第１の画像群中の画像の内容を比較するコードモジュール；及び
比較結果に基づいて、前記入力画像の関心のある領域内で前記プレゼンテーション情報に合致する内容を有する画像を前記第１の画像群が含むか否かを判別するコードモジュール；
より成ることを特徴とするデータ処理システム。
【請求項２】
前記入力画像及び前記第１の画像群中の画像が第１の特徴を有するか否かを判別するコードモジュールが、前記入力画像及び前記第１の画像群中の画像がセグメント化されるか否かを判別するコードモジュールより成り；及び
前記入力画像及び前記第１の画像群中の画像が第２の特徴を有するか否かを判別するコードモジュールが、前記入力画像及び前記第１の画像群中の画像が、認識されることの可能なテキストから構成されているか否かを判別するコードモジュールより成る；
ことを特徴とする請求項１記載のシステム。
【請求項３】
前記入力画像及び前記第１の画像群中の画像がセグメント化されるか否かを判別するコードモジュールが、前記入力画像及び候補画像群中の画像がセグメント化されるか否かを示す情報を受信するコードモジュールより成る
ことを特徴とする請求項２記載のシステム。
【請求項４】
前記入力画像及び前記第１の画像群中の画像がセグメント化されるか否かを判別するコードモジュールが：
前記入力画像及び前記第１の画像群中の画像を捕捉するために使用される１以上の捕捉装置を識別するコードモジュール；及び
前記１以上の捕捉装置に基づいて、前記入力画像及び前記第１の画像群中の画像がセグメント化されるか否かを判別するコードモジュール；
より成ることを特徴とする請求項２記載のシステム。
【請求項５】
前記メモリが、複数の捕捉装置を識別する情報を格納し、且つ前記複数の捕捉装置内の捕捉装置の各々について、捕捉装置によって捕捉された画像がセグメント化されるか否かを示す情報を格納するよう構成される
ことを特徴とする請求項４記載のシステム。
【請求項６】
前記入力画像及び前記第１の画像群中の画像がセグメント化されるか否かを判別するコードモジュールが：
前記入力画像及び前記第１の画像群中の画像がセグメント化されるか否かを判別するために、前記入力画像及び前記第１の画像群中の画像を処理するコードモジュールより成る
ことを特徴とする請求項２記載のシステム。
【請求項７】
前記入力画像及び前記第１の画像群中の画像が、認識されることの可能なテキストから構成されているか否かを判別するコードモジュールが、前記入力画像及び前記第１の画像群中の画像が、認識されることの可能なテキストから構成されるか否かを示す情報を受信するコードモジュールより成る
ことを特徴とする請求項２記載のシステム。
【請求項８】
前記入力画像及び前記第１の画像群中の画像が、認識されることの可能なテキストから構成されているか否かを判別するコードモジュールが：
前記入力画像及び前記第１の画像群中の画像を捕捉するために使用される１以上の捕捉装置を識別するコードモジュール；及び
前記１以上の捕捉装置に基づいて、前記入力画像及び前記第１の画像群中の画像が、認識されることの可能なテキストから構成されているか否かを判別するコードモジュール；
より成ることを特徴とする請求項２記載のシステム。
【請求項９】
前記入力画像及び前記第１の画像群中の画像が、認識されることの可能なテキストから構成されているか否かを判別するコードモジュールが、認識されることの可能なテキストから構成されているか否かを判別するために、前記入力画像及び前記第１の画像群中の画像を処理するコードモジュールより成る
ことを特徴とする請求項２記載のシステム。
【請求項１０】
前記入力画像及び前記第１の画像群中の画像が前記第１の特徴及び前記第２の特徴を有するか否かに基づいて選択されるように、複数の比較法の中から１以上の比較法を識別する第１情報を格納するように前記メモリが構成される
ことを特徴とする請求項２記載のシステム。
【請求項１１】
複数の比較法の中から第１群の比較法を識別するコードモジュールが：
前記複数の比較法の中の比較法が、前記第１群の比較法に含まれるか否かを判別するために前記第１情報を使用するコードモジュールより成る
ことを特徴とする請求項１０記載のシステム。
【請求項１２】
複数のコードモジュールが、更に：
時間的制約を示す情報を受信するコードモジュール；及び
前記第１群の比較法の中から前記時間的制約を満たす第２群の比較法を識別するコードモジュール；
より成り、前記第１群の比較法内の１以上の比較法を用いて前記入力画像の内容及び前記第１の画像群中の画像の内容を比較するコードモジュールが、前記第２群の比較法に含まれる比較法を利用するコードモジュールより成る
ことを特徴とする請求項２記載のシステム。
【請求項１３】
前記第１群の比較法内の１以上の比較法を用いて前記入力画像の内容及び前記第１の画像群中の画像の内容を比較するコードモジュールが：
前記第１群の比較法内の比較法が適用される順序を決定するコードモジュール；及び
前記第１群の比較法の中から１以上の比較法を、決定した順序で適用するコードモジュール；
より成ることを特徴とする請求項２記載のシステム。
【請求項１４】
前記入力画像の関心のある領域内で前記プレゼンテーション情報に合致する内容を有する画像を前記第１の画像群が含むか否かを判別するコードモジュールが：
前記第１群の比較法内の前記１以上の比較法中の比較法の各々について、比較法の信頼性スコアと、前記入力画像中の関心のある領域内の前記プレゼンテーション情報に合致する内容を含むものとして、前記第１の画像群から前記比較法によって識別された合致する画像とを受信するコードモジュール；
前記１以上の比較法に関する前記信頼性スコアに基づいて、前記入力画像中の関心のある領域内の前記プレゼンテーション情報に合致する内容を含む画像として、前記１以上の比較法によって識別された複数の合致する画像から、ある画像を識別するコードモジュール；
より成ることを特徴とする請求項２記載のシステム。
【請求項１５】
前記入力画像中の関心のある領域内の前記プレゼンテーション情報に合致する内容を含む画像として識別された複数の合致する画像中の画像が、最高の信頼性スコアを有する比較法によって識別された合致する画像である
ことを特徴とする請求項１４記載のシステム。
【請求項１６】
前記入力画像の関心のある領域内で前記プレゼンテーション情報に合致する内容を有する画像を前記第１の画像群が含むか否かを判別するコードモジュールが：
前記第１群の比較法における前記１以上の比較法の中の比較法の各々について、
比較法に関する信頼性スコアと、
前記第１の画像群の中から、前記入力画像の関心のある領域内で前記プレゼンテーション情報に合致する内容を有するものとして、比較法によって識別された合致する画像と、
前記第１の画像群中の画像の各々に関する距離値であって、前記入力画像の関心のある領域に含まれるプレゼンテーション情報及び前記第１の画像群中の画像の内容の間の適合性の接近度の測定値を示すところの距離値と、
を受信するコードモジュール；及び
１以上の比較法に関する前記信頼性スコア及び前記距離値に基づいて、前記入力画像中の関心のある領域内の前記プレゼンテーション情報に合致する内容を含む画像として、前記１以上の比較法によって識別された複数の合致する画像から、ある画像を識別するコードモジュール；
より成ることを特徴とする請求項２記載のシステム。